(57)【要約】      （修正有）【課題】釣り針による根がかりを回避できる釣り用仕掛け及び当該仕掛けに用いられる根がかり防止器具を提供する。【解決手段】釣り用仕掛けとして、釣り針２４と、釣り針が先端に固定されるハリス２５と、ハリスの釣り針から所定距離離れた位置に設けられる側方に張り出す突起体と、少なくとも一方の開口が突起体が嵌る大きさを有する貫通孔が形成された、釣り針が刺さる硬さを有する発泡合成樹脂又はエラストマーのブロック体からなる、ハリスの釣り針と突起体の間に設けられる根がかり防止具Ｘとから構成する。【選択図】図４
0003191608.tif 000002
【実用新案登録請求の範囲】
【請求項１】
釣り針と、
前記釣り針が先端に固定されるハリスと、
前記ハリスの前記釣り針から所定距離離れた位置に設けられる側方に張り出す突起体と、
少なくとも一方の開口が前記突起体が嵌る大きさを有する貫通孔が形成された、前記釣り針が刺さる硬さを有する発泡合成樹脂又はエラストマーのブロック体からなる、前記ハリスの前記釣り針と前記突起体の間に設けられる根がかり防止具と
を有する釣り用仕掛け。
【請求項２】
所定の釣り針が刺さる硬さを有する発泡合成樹脂又はエラストマーのブロック体からなる本体部と、
前記本体部に形成される貫通孔と
を有する根がかり防止具。
【請求項３】
前記貫通孔は、少なくとも一方の開口が所定のサルカン、ハリスを挟んで固定する錘又は丸カンが嵌る大きさを有するものである請求項２に記載の根がかり防止具。
【考案の詳細な説明】
【技術分野】
【０００１】
本考案は、根がかりを防止する構造を有する釣り用仕掛け及び当該仕掛けに用いられる根がかり防止具に関する。
【背景技術】
【０００２】
陸からの投げ釣りや磯釣りにおいて根がかりは避けることができない。錘については形状を工夫することである程度根がかりを回避することができるが、釣り針の根がかりは回避することが難しい。そのため、多くの場合、ハリスを切れやすいものとして、釣り針の根がかりが発生した場合は、強く引っ張ってハリスを切り、新たに釣り針を付け替える方法が採られる。
【考案の概要】
【考案が解決しようとする課題】
【０００３】
しかし、釣り針の交換には時間がかかり、その間は実質的に釣りをすることができないので根がかりが多いと精神的にストレスになり、釣果にも影響する。
本考案は、このような問題に鑑みて、釣り針による根がかりを回避できる仕掛けの構造及び当該仕掛けに用いられる根がかりを防止する器具を提供することを課題とする。
【課題を解決するための手段】
【０００４】
上記課題を解決するために、本考案は、次のような構成を有する。
請求項１に記載の考案は、釣り針と、前記釣り針が先端に固定されるハリスと、前記ハリスの前記釣り針から所定距離離れた位置に設けられる側方に張り出す突起体と、少なくとも一方の開口が前記突起体が嵌る大きさを有する貫通孔が形成された、前記釣り針が刺さる硬さを有する発泡合成樹脂又はエラストマーのブロック体からなる、前記ハリスの前記釣り針と前記突起体の間に設けられる根がかり防止具とを有する釣り用仕掛けである。
請求項２に記載の考案は、所定の釣り針が刺さる硬さを有する発泡合成樹脂又はエラストマーのブロック体からなる本体部と、前記本体部に形成される貫通孔とを有する根がかり防止具である。
請求項３に記載の考案は、前記根がかり防止具において、前記前記貫通孔は、少なくとも一方の開口が所定のサルカン、ハリスを挟んで固定する錘又は丸カンが嵌る大きさを有するものである。
【考案の効果】
【０００５】
以上のような構成により、本考案は、次のような効果を奏する。
請求項１に記載の考案は、根がかり防止具の貫通孔を突起体に嵌めた状態で、仕掛けを水中へ投げ入れる。根がかり防止具は貫通孔部分で突起体に嵌っているので水中に投げ入れたときには、この状態を維持する。次に、餌が取られた後で仕掛けを巻き戻す際には、一度釣り糸を強く引っ張るようにする。これにより水の抵抗で根がかり防止具は同じ場所に留まろうとするので、突起体が根がかり防止具の貫通孔から抜け、ハリスは当該貫通孔を移動し、やがてハリス先端の釣り針は根がかり防止具に刺さることとなる。これにより釣り針の先端部分がカバーされるので釣り針が岩や海草などに引っかかることを回避することができる。
請求項２に記載の考案は、所定の仕掛けに取り付けることで、請求項１に記載の仕掛けを形成することができる。
請求項３に記載の考案は、仕掛けによく用いられるサルカン、ハリスを挟んで固定する錘又は丸カンに貫通孔が固定できるので、ハリスに別途特別な突起を形成する必要をなくすことができる。
【図面の簡単な説明】
【０００６】
【図１】（ａ）は実施形態に係る根がかり防止具の斜視図であり、（ｂ）は実施形態に係る根がかり防止具の縦断面図である。
【図２】実施形態に係る仕掛けの側面図である。
【図３】水中における釣り餌を付けた実施形態に係る仕掛けの状態の例を示す図である。
【図４】（ａ）は実施形態に係る仕掛けにおいて餌が取られた状態を示す側面図であり、（ｂ）は実施形態に係る仕掛けにおいて根がかり防止具が釣り針に刺さった状態を示す側面図である。
【考案を実施するための形態】
【０００７】
以下、本考案の実施の形態について、図面を参照しながら説明する。
図１（ａ）に本実施形態に係る根がかり防止具Ｘの斜視図を示し、図１（ｂ）に根がかり防止具Ｘの縦断面図を示す。根がかり防止具Ｘは、発泡ウレタンからなる扁平な円柱体であり、中央に貫通孔１１が形成されている。貫通孔１１は所定のサルカンのリング部分が適度な摩擦力をもって嵌る程度の内径を有する。具体的には、所定のサルカンに対して空中に投げられるときや、着水の衝撃では外れないが、水中で強く引っ張ると外れる程度の嵌合力で係合するような内径に設定されている。
図２に根がかり防止具Ｘを設けた仕掛けＺの正面図を示す。仕掛けＺは、三又サルカン２１の真ん中に連結されたサルカンのリングに錘２２が先端に設けられた糸を連結し、三又サルカン２１の一端側に連結されたサルカン２３のリングに、先端に釣り針２４が設けられたハリス２５を連結し、当該ハリス２５部分に根がかり防止具Ｘの貫通孔１１部分を通したものである。なお、サルカン２３は根がかり防止具Ｘの貫通孔が嵌る前記所定のサルカンが用いられる。
【０００８】
次に、以上のような構成を有する根がかり防止具Ｘが設けられた仕掛けＺの使用方法について説明する。使用者は道糸に仕掛けＺを連結し、釣り針２３に釣り餌を付ける。そして、根がかり防止具Ｘを上方に移動させてサルカン２３のリングに貫通孔１１を嵌め入れて固定する。この状態で仕掛けを水中へ投げ入れる。図３に水中における仕掛けＺの状態の一例を示す。図３に示すように水中では発泡ウレタンで形成された根がかり防止具Ｘにより三又サルカン２１部分が浮き上がり、釣り餌Ｂもこれに引かれて水底から少し浮いた状態で漂うこととなる。これにより釣り餌Ｂが魚の注意を引きやすくなり釣果の向上が期待できる。
その後、釣り餌Ｂのみが魚に取られて図４（ａ）のような状態となった仕掛けＺを引き上げる場合、使用者は一度釣り竿をしゃくって素早く仕掛けＺを引っ張るようにする。これにより発泡ウレタンの扁平な円柱体からなる根がかり防止具Ｘは強い水の抵抗を受けるので仕掛けＺが素早く引かれる動きについて行くことができずに、その場所に留まり、根がかり防止具Ｘの貫通孔１１とサルカン２３のリングとの係合がはずれ、根がかり防止具Ｘは相対的にハリス２５をつたって釣り針２４側に移動する。釣り針２４は引っ張り上げられる仕掛けＺの動きに合致するので、釣り針２４は図４（ｂ）に示すように発泡ウレタンにより形成された根がかり防止具Ｘに刺さることとなる。このように釣り針２４が根がかり防止具Ｘに刺されば、釣り針２４が根がかりすることが防がれるので、スムーズに仕掛けＺを引き上げることができる。
このように本実施形態に係る根がかり防止具Ｘが設けられた仕掛けＺは、釣り餌を浮き上がられることで釣果を上げることができるとともに、従来困難であった釣り針による根がかりを抑制することができる。
【０００９】
なお、上記実施形態では根がかり防止具Ｘは、発泡ウレタンにより形成されているが、素材は釣り針が引かれる力で刺さる程度の高度を有するものであれば種々のものを適用でき、ウレタン以外の発泡合成樹脂や、シリコーンゴム等のエラストマーなどで形成することができる。また、根がかり防止具Ｘの形状も球形、砲弾形等任意の形に形成することが可能である。
また、根がかり防止具Ｘの浮力は形成する素材と体積によって決まるので、使用する錘や餌との兼ね合いにより自由に調節することができる。
さらに、根がかり防止具Ｘには、ハリスの側方から固定できるように側面から貫通孔に至る切れ目を入れてもよく、貫通孔も一方の開口はハリスは通ることができるがサルカンのリングは通ることができないように小さく形成してもよい。
そして、上記実施形態では、根がかり防止具Ｘは貫通孔によってサルカンのリングに係合するように形成したが、ハリスの途中で嵌合すれば足りるので、ハリスに設けた割りビシ、ガン玉などのハリスの途中に固定される錘や、丸カンなどの側方に張り出した任意の突起体に嵌合するように形成することもできる。
【符号の説明】
【００１０】
Ｘ  根がかり防止具
Ｚ  仕掛け
１１  貫通孔
２１  三又サルカン
２２  錘
２３  サルカン
２４  釣り糸
２５  ハリス
【図１】
0003191608.tif 000003
【図２】
0003191608.tif 000004
【図３】
0003191608.tif 000005
【図４】
0003191608.tif 000006